(57)【要約】【課題】  従来の下着等の位置ずれ防止技術では、一度下着等の位置ずれすると、下着等はその位置に止まり、下着等は元の正しい位置に戻る事が出来ない。【解決手段】下着等の内面に貼るシートで、下着等にシートを取り付けて使用し、下着等への外圧でシートの位置がずれたときに、シート自身の力でシートが元の位置に戻ることが出来るシートを作る。シートが正しい位置に戻ることで、下着等が正しい位置に戻ることができる。シートが元の位置に戻るにはエネルギーが必要となる。そのエネルギーとして人体の皮膚の表面の動きを利用する。蛇が蛇の動きのエネルギーと蛇の鱗の突起とで前に進むように、シートに蛇の鱗のような突起を取り付け、人体の皮膚の表面の動きのエネルギーをシートが前に進むエネルギーにかえて、シートの突起を人体の皮膚の表面の皺等に引っかけて、人体の皮膚の表面が動く度に、シートが人体の皮膚の表面を前に進む。【選択図】  図１６
2005054341.tif 000002
【特許請求の範囲】
【請求項１】
シートに突起Ｅを取り付け、突起Ｅの断面の形は、点ａからシートの辺ＹＺに対して垂直に下げて点ｂを作り、点ｂからＺ側に近づいて斜め上に新たな点ａを作り、この作業を繰り返した、以上のことを特徴とする人体の皮膚の動きで前に進むシート。
【請求項２】
シートに突起Ｅを取り付け、突起Ｅの断面の形は、点ｃからシートの辺ＹＺに対してＹ側に近づいて斜めに下げて点ｄを作り、点ｄからＺ側に近づいて斜め上に新たな点ｃを作り、この作業を繰り返した、以上のことを特徴とする人体の皮膚の動きで前に進むシート。
【請求項３】
シートに突起Ｅを取り付け、突起Ｅの断面の形は、点ｇ１からシートの辺ＹＺに対して垂直に下げて点ｈを作り、点ｈからＺ側に近づいて斜め上に点ｇ２を作り、点ｇ２から辺ＹＺに平行にＺ側に近づいて新たな点ｇ１を作り、この作業を繰り返した、以上のことを特徴とする人体の皮膚の動きで前に進むシート。
【請求項４】
シートに突起Ｅを取り付け、突起Ｅの断面の形は、点ｉ１からシートの辺ＹＺに対してＹ側に近づいて斜めに下げて点ｊを作り、点ｊからＺ側に近づいて斜め上に点ｉ２を作り、点ｉ２から辺ＹＺに平行にＺ側に近づいて新たな点ｉ１を作り、この作業を繰り返した、以上のことを特徴とする人体の皮膚の動きで前に進むシート。
【請求項５】
シートに突起Ｅを取り付け、突起Ｅの断面の形は、点ｎからシートの辺ＹＺに対して垂直に下げて点ｐを作り、点ｐからＺ側に近づいて斜め上に弧を描いて新たな点ｎを作り、この作業を繰り返した、以上のことを特徴とする人体の皮膚の動きで前に進むシート。
【請求項６】
シートに突起Ｅを取り付け、突起Ｅの断面の形は、点ｓからシートの辺ＹＺに対してＹ側に近づいて斜めに下げて点ｔを作り、点ｔからＺ側に近づいて斜め上に弧を描いて新たな点ｓを作り、この作業を繰り返した、以上のことを特徴とする人体の皮膚の動きで前に進むシート。
【請求項７】
シートに突起Ｅを取り付け、突起Ｅの断面の形は、点ｕからシートの辺ＹＺに対してスタート時は垂直に下げ、かつ辺ＹＺに対してＺ側に近づいて弧を描いて点ｖを作り、点ｖからＺ側に近づいて斜め上に弧を描いて新たな点ｕを作り、この作業を繰り返した、以上のことを特徴とする人体の皮膚の動きで前に進むシート
【請求項８】
シートに突起Ｅを取り付け、突起Ｅの断面の形は、点ｙからシートの辺ＹＺに対してＹ側に近づいて斜めに下げて弧を描いて点２を作り、点ｚからＺ側に近づいて斜め上に弧を描いて新たな点ｙを作り、この作業を繰り返した、以上のことを特徴とする人体の皮膚の動きで前に進むシート
【発明の詳細な説明】
【技術分野】
【０００１】  本発明は人体の皮膚の動きで前に進むシートに関する技術分野。
【背景技術】
【０００２】  従来の下着等の位置ずれ防止技術としては、ブラジャー、キャミソール、スリップ、靴下等において、皮膚面と該皮膚面に被着される肌衣面との間に介在する滑り止めを具えての位置ずれ防止手段がある（例えば、特許文献１参照。）。また、靴下に伸縮自在のゴ厶入りテープを取り付けて摩擦滑り止め具とし、靴下の位置ずれ防止技術がある（例えば、特許文献２参照。）。および、ストッキングに滑り止め弾性体帯材を用いた位置ずれ防止技術がある（例えば、特許文献３参照。）。
【特許文献１】  登録実用新案第３０６１２５４号公報
【特許文献２】  実公昭４０−０１０７３６号公報
【特許文献３】  特開昭５１−１００８４４号公報
【発明の開示】
【発明が解決しようとする課題】
【０００３】  従来の下着等の位置ずれ防止技術では、一度、下着等が位置ずれすると、下着等はその位置に止まり、下着等は元の正しい位置に戻る事が出来ない。よって、人は下着等を位置ずれしたまま着用し、下着等を元の正しい位置に戻すには人の手等が必要になる。
【課題を解決するための手段】
【０００４】  靴下、パンティー、ブラジャーの下着等の内面に貼るシートで、下着等にシートを取り付けて使用し、下着等への外圧でシートの位置がずれたときに、シート自身の力でシートが元の位置に戻ることが出来るシートを作る。シートが正しい位置に戻ることで、下着等が正しい位置に戻ることができる。【０００５】  シートが元の位置に戻るにはエネルギーが必要となる。そのエネルギーとして人体の皮膚の表面の動きを利用する。蛇が蛇の動きのエネルギーと蛇の鱗の突起とで前に進むように、シートに蛇の鱗のような突起を取り付け、人体の皮膚の表面の動きのエネルギーをシートが前に進むエネルギーにかえて、シートの突起を人体の皮膚の表面の皺等に引っかけて、人体の皮膚の表面が動く度に、シートが人体の皮膚の表面を前に進む。【０００６】  シートは、蛇の背面の鱗のように瓦状に重ねて鱗形の突起を作り、又は蛇の腹面の鱗のように帯形を瓦状に重ねて線状に繋がった突起を作り、突起の断面の形は、直角三角形等を複数個横に並べた形等にして、その突起で一方向の力に対しては皮膚の表面の皺に引っ掛かって止まり、反対方向の力に対しては皮膚の表面を滑って進む、よって、シートのある場所の突起が皮膚の表面の皺に引っ掛かり、別のある場所の突起が皮膚の表面を滑って前に進み、次に先ほど前に滑って進んだ突起が皮膚の表面の皺に引っ掛かり、先ほど皺に引っ掛かった突起が今度は皮膚の表面を滑り前に進む、この動作を繰り返して、シート全体が前に進む、以上のことを特徴とする人体の皮膚の動きで前に進むシートである。
【発明の効果】
【０００７】  靴下、パンティー、ブラジャーの下着等にシートを取り付けて使用し、下着等への外圧でシートの位置がずれたときに、シート自身でシートが元の位置に戻ることが出来るので、常に下着等を正しい位置で着用することが出来る。
【発明の実施するための最良の形態】
【０００８】  発明の実施するための最良の形態を実施例にもとづき図面を参照して説明する。
図１において、シートに突起Ｅを取り付け、突起の平面の形は円形、楕円形等の丸い形Ａを瓦状に重ねた鱗形である、以上のことを特徴とする人体の皮膚の動きで前に進むシートである。
【０００９】  図２において、シートに突起Ｅを取り付け、突起の平面の形は多角形Ｂの角を頂上にして瓦状に重ねた鱗形である、以上のことを特徴とする人体の皮膚の動きで前に進むシートである。
【００１０】  図３において、シートに突起Ｅを取り付け、突起の平面の形は帯形Ｃを瓦状に重ねてある、以上のことを特徴とする人体の皮膚の動きで前に進むシートである。
【００１１】  図４において、シートに突起Ｅを取り付け、突起の平面の形は多角形Ｄの一辺を頂上にして瓦状に重ねた鱗形である、以上のことを特徴とする人体の皮膚の動きで前に進むシートである。
【００１２】  図５において、シートに突起Ｅを取り付け、突起Ｅの断面の形は、点ａからシートの辺ＹＺに対して垂直に下げて点ｂを作り、点ｂからＺ側に近づいて斜め上に新たな点ａを作り、この作業を繰り返した、いわゆる点ｂの内角を直角とした三角形を複数個横に並べた、以上のことを特徴とする人体の皮膚の動きで前に進むシートである。
【００１３】  図６において、シートに突起Ｅを取り付け、突起Ｅの断面の形は、点ｃからシートの辺ＹＺに対してＹ側に近づいて斜めに下げて点ｄを作り、点ｄからＺ側に近づいて斜め上に新たな点ｃを作り、この作業を繰り返した、いわゆる点ｄの内角を鈍角とした三角形を複数個横に並べた、以上のことを特徴とする人体の皮膚の動きで前に進むシートである。
【００１４】  図７において、シートに突起Ｅを取り付け、突起Ｅの断面の形は、点ｅからシートの辺ＹＺに対してＺ側に近づいて斜めに下げて点ｆを作り、点ｆからＺ側に近づいて斜め上に新たな点ｅを作り、この作業を繰り返した、いわゆる点ｆの内角を鋭角とした三角形を複数個横に並べた、以上のことを特徴とする人体の皮膚の動きで前に進むシートである。
【００１５】  図８において、シートに突起Ｅを取り付け、突起Ｅの断面の形は、点ｇ１からシートの辺ＹＺに対して垂直に下げて点ｈを作り、点ｈからＺ側に近づいて斜め上に点ｇ２を作り、点ｇ２から辺ＹＺに平行にＺ側に近づいて新たな点ｇ１を作り、この作業を繰り返した、いわゆる点ｈの内角を直角とし、かつ点ｇ１の内角を直角とし、辺ｇ１ｇ２より辺ｈｈを長くした台形を複数個横に並べた、以上のことを特徴とする人体の皮膚の動きで前に進むシートである。
【００１６】  図９において、シートに突起Ｅを取り付け、突起Ｅの断面の形は、点ｉ１からシートの辺ＹＺに対してＹ側に近づいて斜めに下げて点ｊを作り、点ｊからＺ側に近づいて斜め上に点ｉ２を作り、点ｉ２から辺ＹＺに平行にＺ側に近づいて新たな点ｉ１を作り、この作業を繰り返した、いわゆる点ｊの内角を鈍角とし、かつ点ｉ１の内角を鋭角とし、辺ｉ１ｉ２より辺ｊｊを長くした台形を複数個横に並べた、以上のことを特徴とする人体の皮膚の動きで前に進むシートである。
【００１７】  図１０において、シートに突起Ｅを取り付け、突起Ｅの断面の形は、点ｋ１からシートの辺ＹＺに対してＺ側に近づいて斜めに下げて点ｍを作り、点ｍからＺ側に近づいて斜め上に点ｋ２を作り、点ｋ２から辺ＹＺに平行にＺ側に近づいて新たな点ｋ１を作り、この作業を繰り返した、いわゆる点ｍの内角を鋭角とし、かつ点ｋ１の内角を鈍角とし、辺ｋ１ｋ２より辺ｍｍを長くした台形を複数個横に並べた、以上のことを特徴とする人体の皮膚の動きで前に進むシートである。
【００１８】  図１１において、シートに突起Ｅを取り付け、突起Ｅの断面の形は、点ｎからシートの辺ＹＺに対して垂直に下げて点ｐを作り、点ｐからＺ側に近づいて斜め上に弧を描いて新たな点ｎを作り、この作業を繰り返した、以上のことを特徴とする人体の皮膚の動きで前に進むシートである。
【００１９】  図１２において、シートに突起Ｅを取り付け、突起Ｅの断面の形は、点ｑからシートの辺ＹＺに対してＺ側に近づいて斜めに下げて点ｒを作り、点ｒからＺ側に近づいて斜め上に弧を描いて新たな点ｑを作り、この作業を繰り返した、以上のことを特徴とする人体の皮膚の動きで前に進むシートである。
【００２０】  図１３において、シートに突起Ｅを取り付け、突起Ｅの断面の形は、点ｓからシートの辺ＹＺに対してＹ側に近づいて斜めに下げて点ｔを作り、点ｔからＺ側に近づいて斜め上に弧を描いて新たな点ｓを作り、この作業を繰り返した、以上のことを特徴とする人体の皮膚の動きで前に進むシートである。
【００２１】  図１４において、シートに突起Ｅを取り付け、突起Ｅの断面の形は、点ｕからシートの辺ＹＺに対してスタート時は垂直に下げ、かつ辺ＹＺに対してＺ側に近づいて弧を描いて点ｖを作り、点ｖからＺ側に近づいて斜め上に弧を描いて新たな点ｕを作り、この作業を繰り返した、以上のことを特徴とする人体の皮膚の動きで前に進むシートである。
【００２２】  図１５において、シートに突起Ｅを取り付け、突起Ｅの断面の形は、点ｗからシートの辺ＹＺに対してＺ側に近づいて斜めに弧を描いて下げて点ｘを作り、点ｘからＺ側に近づいて斜め上に弧を描いて新たな点ｗを作り、この作業を繰り返した、以上のことを特徴とする人体の皮膚の動きで前に進むシートである。
【００２３】  図１６において、シートに突起Ｅを取り付け、突起Ｅの断面の形は、点ｙからシートの辺ＹＺに対してＹ側に近づいて斜めに下げて弧を描いて点ｚを作り、点ｚからＺ側に近づいて斜め上に弧を描いて新たな点ｙを作り、この作業を繰り返した、以上のことを特徴とする人体の皮膚の動きで前に進むシートである。
【実施例１】
【００２４】  発明の実施例を図面参照して説明する。
図１において、シートに突起Ｅを取り付け、人体の皮膚の動きで前に進む合成ゴム等で作ったシートで、突起Ｅの平面の形は直径０．５ｍｍの円形Ａを瓦状に重ねた鱗形で、又は平面の形は長軸０．５ｍｍで短軸０．４ｍｍの楕円形Ａを瓦状に重ねた鱗形である、以上のことを特徴とする人体の皮膚の動きで前に進むシートである。
【実施例２】
【００２５】  図２において、シートに突起Ｅを取り付け、人体の皮膚の動きで前に進む合成ゴム等で作ったシートで、突起Ｅの平面の形は一辺が０．３ｍｍの菱形Ｂの角を頂上して瓦状に重ねた鱗形である、以上のことを特徴とする人体の皮膚の動きで前に進むシートである。
【実施例３】
【００２６】  図３において、シートに突起Ｅを取り付け、人体の皮膚の動きで前に進む合成ゴム等で作ったシートで、突起Ｅの平面の形は幅０．５ｍｍの帯形Ｃを瓦状に重ねて、線の突起Ｅを備えている、以上のことを特徴とする人体の皮膚の動きで前に進むシートである。
【実施例４】
【００２７】  図４において、シートに突起Ｅを取り付け、人体の皮膚の動きで前に進む合成ゴム等で作ったシートで、突起Ｅの平面の形は多角形Ｄの一辺を頂上にして瓦状に重ねた鱗形である、幅０．５ｍｍの帯形Ｃを瓦状に重ねて、複数箇所をＶ字形に切り込みを入れた線の突起Ｅを備えている、以上のことを特徴とする人体の皮膚の動きで前に進むシートである。
【実施例５】
【００２８】  図５において、突起Ｅの断面の形は、点ｂの内角を９０度とした三角形を複数個横に並べ、斜辺ａｂの長さが０．５ｍｍ、以上のことを特徴とする人体の皮膚の動きで前に進むシートである。
【実施例６】
【００２９】  図６において、突起Ｅの断面の形は、点ｄの内角を１２０度とした三角形を複数個横に並べ、斜辺ｃｄの長さが０．５ｍｍ、以上のことを特徴とする人体の皮膚の動きで前に進むシートである。
【実施例７】
【００３０】  図８において、突起Ｅの断面の形は、点ｈの内角を９０度とし、かつ点ｇ１の内角を９０度とし、辺ｇ１ｇ２より辺ｈｈを長くした台形を複数個横に並べ、斜辺ｇ２ｈの長さが０．４ｍｍ、辺ｇ１ｇ２の長さが０．１ｍｍ、以上のことを特徴とする人体の皮膚の動きで前に進むシートである。
【実施例８】
【００３１】  図９において、突起Ｅの断面の形は、点ｊの内角を１２０度とし、かつ点ｉ１の内角を６０度とし、辺ｉ１ｉ２より辺ｊｊを長くした台形を複数個横に並べ、斜辺１２ｊの長さが０．５ｍｍ、辺ｉ１ｉ２の長さが０．１ｍｍ、以上のことを特徴とする人体の皮膚の動きで前に進むシートである。
【実施例９】
【００３２】  図１１において、突起Ｅの断面の形は、点ｎからシートの辺ＹＺに対して垂直に下げて点ｐを作り、点ｐからＺ側に近づいて斜め上に長軸０．５ｍｍで短軸０．４ｍｍの楕円の弧を描いて新たな点ｎを作り、この作業を繰り返し、辺ｎｐの長さが０．２ｍｍ、以上のことを特徴とする人体の皮膚の動きで前に進むシートである。
【実施例１０】
【００３３】  図１３において、突起Ｅの断面の形は、点ｓからシートの辺ＹＺに対してＹ側に近づいて斜めに下げて点ｔを作り、点ｔからＺ側に近づいて斜め上に長軸０．５ｍｍで短軸０．４ｍｍの楕円の弧を描いて新たな点ｓを作り、この作業を繰り返し、辺ｓｔの長さが０．２ｍｍ、以上のことを特徴とする人体の皮膚の動きで前に進むシートである。
【実施例１１】
【００３４】  図１４において、突起Ｅの断面の形は、点ｕからシートの辺ＹＺに対してスタート時は垂直に下げ、かつ辺ＹＺに対して半径０．５ｍｍの弧を描いて点ｖを作り、点ｖからＺ側に近づいて斜め上に半径０．７ｍｍの弧を描いて新たな点ｕを作り、この作業を繰り返した、以上のことを特徴とする人体の皮膚の動きで前に進むシートである。
【実施例１２】
【００３５】  図１６において、突起Ｅの断面の形は、点ｙからシートの辺ＹＺに対してＹ側に近づいて斜めに下げて長軸０．３ｍｍで短軸０．２ｍｍの楕円の弧を描いて点ｚを作り、点ｚからＺ側に近づいて斜め上に長軸０．５ｍｍで短軸０．３ｍｍの楕円の弧を描いて新たな点ｙを作り、この作業を繰り返した、以上のことを特徴とする人体の皮膚の動きで前に進むシートである。
【実施例１３】
【００３６】  図１７において、本発明の人体の皮膚の動きで前に進むシートＸを靴下１の内面に取り付け、人体の皮膚の動きによって、シートＸの突起Ｅで一方向の力に対しては皮膚の表面の皺に引っ掛かって止まり、反対方向の力に対しては皮膚の表面を滑って進む、よって、靴下１の入り口が常に上に上がる靴下１となり、常に正しい位置で靴下１が装着できる。
【実施例１４】
【００３７】  図１８において、本発明の人体の皮膚の動きで前に進むシートＸをパンティー２の三か所の開口部の内面に取り付け、人体の皮膚の動きによって、シートＸの突起Ｅで一方向の力に対しては皮膚の表面の皺に引っ掛かって止まり、反対方向の力に対しては皮膚の表面を滑って進む、よって、パンティー２が人の胴部を常に上に上がり、太股部も倦き上がらないパンティー２となり、常に正しい位置でパンティー２が装着できる。
【実施例１５】
【００３８】  図１９において、本発明の人体の皮膚の動きで前に進むシートＸをヒップアップパンティー３の内面全面に取り付け、人体の皮膚の動きによって、シートＸの突起Ｅで一方向の力に対しては皮膚の表面の皺に引っ掛かって止まり、反対方向の力に対しては皮膚の表面を滑って進む、よって、ヒップアップパンティー３が人の臀部を常に上に上がり、ヒップアップパンティー３が常に上に上がることで、ヒップがアップするヒップアップパンティー３である。
【実施例１６】
【００３９】  図２０において、本発明の人体の皮膚の動きで前に進むシートＸをブラジャー４の内面に取り付け、人体の皮膚の動きによって、シートＸの突起Ｅで一方向の力に対しては皮膚の表面の皺に引っ掛かって止まり、反対方向の力に対しては皮膚の表面を滑って進む、カップ５の内面に取り付けたシートＸ（Ｆ，Ｇ）により、カップ５を常に上に持ちＬげ、カップ５の内面に取り付けたシートＸ（Ｈ，Ｊ）により、カップ５の下側を胸部に常に押し付け、前身頃のベルト部６の内側に取り付けたシートＸ（Ｈ，Ｋ）により、前身頃のベルト部６を常に上に持ち上げ、前身頃のベルト部６の内面に取り付けたシートＸ（Ｒ，Ｌ）により、前身頃のベルト部６を常に下に押し下げ、ベルト部７の内面に取り付けたシートＸ（Ｓ，Ｔ）により、ベルト部７の上側を常に上に持ち上げ、ベルト部７の内面に取り付けたシートＸ（Ｕ，Ｖ）により、ベルト部７の下側を常に下に押し下げ、肩紐が無くてもずれ落ちないブラジャー４となり、常に正しい位置でブラジャー４が装着できる。
【産業上の利用可能性】
【００４０】  アトピー性皮膚炎の患者や皮膚が敏感な人にかかわらず、健康な人でもパンツや靴下などの下着のゴムの締め付けは嫌なものである。私事ですが、私の御祖父は新しい靴下を購入すると、靴下の締め付けで皮膚が痒くなってしまうので、その靴下の入り口に縦に４ｃｍ位の切り込みを十数本入れ、靴下のゴムを切断して、ゴムを切断した靴下しか履かない。下着に本発明のシートを取り付けるだけで、下着のゴムなどの締め付けが無くても下着がずれ落ちず、下着は常に正しい位置に装着できる。靴下の場合は図１７のように、靴下の入り口部分に本発明のシートを取り付けると、本発明のシートが足の皮膚の表面の動きで上に上がり、靴下はずれ落ちず、常に正しい位置に装着できる。同様に、パンティーの場合は図１８や図１９のようにして利用でき、ブラジャーの場合は図２０のようにして利用できる。本発明のシートを取り付けた下着は常に正しい位置に装着できるので、本発明のシートを取り付けた下着を着用する人は大変に楽になる。本発明のシートの利用は様々な下着などに利用可能である。下着メーカーの大企業が本発明のシートを採用すれば、まちがいなく下着の革命となり、大量に販売できると思われる。
【図面の簡単な説明】
【００４１】
【図１】実施例のシートＸの平面図。
【図２】実施例のシートＸの平面図。
【図３】実施例のシートＸの平面図。
【図４】実施例のシートＸの平面図。
【図５】実施例のシートＸの断面図。
【図６】実施例のシートＸの断面図。
【図７】シートＸの断面図。
【図８】実施例のシートＸの断面図。
【図９】実施例のシートＸの断面図。
【図１０】シートＸの断面図。
【図１１】実施例のシートＸの断面図。
【図１２】シートＸの断面図。
【図１３】実施例のシートＸの断面図。
【図１４】実施例のシートＸの断面図。
【図１５】シートＸの断面図。
【図１６】実施例のシートＸの断面図。
【図１７】実施例のシートＸを内面に取り付けた靴下１の断面図。
【図１８】実施例のシートＸを内面に取り付けたパンティー２の断面図。
【図１９】実施例のシートＸを内面に取り付けたヒップアップパンティー３の断面図。
【図２０】実施例のシートＸを内面に取り付けた肩紐無しブラジャー４の平面図と断面図側面図。
【符号の説明】
【００４２】  Ａ：円形、楕円形等の丸形。
Ｂ：多角形。
Ｃ：帯形。
Ｄ：多角形。
Ｅ：突起。
Ｆ，Ｇ，Ｈ，Ｊ，Ｋ，Ｌ，Ｒ，Ｓ，Ｔ，Ｕ，Ｖ：シートＸの端。
Ｘ：シート。
ａ，ｃ，ｅ，ｇ１，ｇ２，ｉ１，ｉ２，ｋ１，ｋ２，ｎ，ｑ，ｓ，ｕ，ｗ，ｙ：シートＸの突起部。
ｂ，ｄ，ｆ，ｈ，ｊ，ｍ，ｐ，ｒ，ｔ，ｖ，ｘ，ｚ：シートＸの谷部。
１：靴下。
２：パンティー。
３：ヒップアップパンティー。
４：肩紐無しのブラジャー。
【図１】
2005054341.tif 000003
【図２】
2005054341.tif 000004
【図３】
2005054341.tif 000005
【図４】
2005054341.tif 000006
【図５】
2005054341.tif 000007
【図６】
2005054341.tif 000008
【図７】
2005054341.tif 000009
【図８】
2005054341.tif 000010
【図９】
2005054341.tif 000011
【図１０】
2005054341.tif 000012
【図１１】
2005054341.tif 000013
【図１２】
2005054341.tif 000014
【図１３】
2005054341.tif 000015
【図１４】
2005054341.tif 000016
【図１５】
2005054341.tif 000017
【図１６】
2005054341.tif 000018
【図１７】
2005054341.tif 000019
【図１８】
2005054341.tif 000020
【図１９】
2005054341.tif 000021
【図２０】
2005054341.tif 000022